(57)【要約】【課題】複数のレンジに分割し、各レンジを互いに切り替えて入力ゲインを設定する際に、コスト的にも優れ、かつ、視認性及び操作性にも優れた構成を備えるレコーダを提供する。【解決手段】入力ゲインのレンジは、ＨＩＧＨ、ＭＩＤ、ＬＯＷの３つのレンジに分割される。ゲイン調整用ボリューム２１を操作し、最小値あるいは最大値近傍に達すると、別のレンジに切り替えるためのポップアップ画面１００が表示される。ユーザはこのポップアップ画面１００を用いてレンジを切り替えることができる。【選択図】図３
2014130656.tif 000002
【特許請求の範囲】
【請求項１】
音声信号の入力ゲインを調整して該音声信号を記録するレコーダであって、
前記入力ゲインの調整レンジとして少なくとも第１レンジ及び第２レンジを備え、前記第１レンジは第１最大値と第１最小値の間のゲインを設定するレンジで、前記第２レンジは第２最大値と第２最小値の間のゲインを設定するレンジであり、前記第２最大値は前記第１最大値よりも小さくかつ前記第１最小値よりも大きく設定され、前記第２最小値は前記第１最小値よりも小さく設定されることで前記第１レンジと前記断２レンジは一部重複するように設定されており、
前記入力ゲインを調整するための、最小値から最大値までの一定範囲内で操作可能な操作子と、
現在設定されている調整レンジを記憶する記憶手段と、
メッセージを表示する表示手段と、
現在設定されている調整レンジが前記第１レンジであって前記操作子が前記第１レンジと前記第２レンジの重複範囲内まで操作されたことを検出した場合に、前記第２レンジへ切り替えるためのメッセージを前記表示手段に表示してレンジを切り替え、かつ、現在設定されている調整レンジが前記第２レンジであって前記操作子が前記第１レンジと前記第２レンジの重複範囲内まで操作されたことを検出した場合に、前記第１レンジへ切り替えるためのメッセージを前記表示手段に表示してレンジを切り替える制御手段と、
を備えることを特徴とするレコーダ。
【請求項２】
請求項１記載のレコーダにおいて、
前記制御手段は、現在設定されている調整レンジが前記第１レンジであって前記操作子が最小値近傍まで操作されたことを検出した場合に、前記第２レンジへ切り替えるためのメッセージを前記表示手段に表示してレンジを切り替え、かつ、現在設定されている調整レンジが前記第２レンジであって前記操作子が最大値近傍まで操作されたことを検出した場合に、前記第１レンジへ切り替えるためのメッセージを前記表示手段に表示してレンジを切り替える
ことを特徴とするレコーダ。
【請求項３】
請求項１，２のいずれかに記載のレコーダにおいて、
前記制御手段は、前記レンジを切り替えた場合に、切替直後のゲイン値として、前記操作子の位置によるゲイン値を無効として切替直前のゲイン値を有効とし、前記操作子が操作されて切替直前のゲイン値に対応する位置まで操作された時点で前記操作子の操作によるゲイン値を有効とする
ことを特徴とするレコーダ。
【請求項４】
請求項１，２のいずれかに記載のレコーダにおいて、
前記制御手段は、前記レンジを切り替えた場合に、切替直後のゲイン値として、前記操作子の位置によるゲイン値を無効として切替直前のゲイン値を有効とし、前記操作子が操作された時点で前記操作子の操作によるゲイン値を有効とする
ことを特徴とするレコーダ。
【請求項５】
請求項１，２のいずれかに記載のレコーダにおいて、
前記制御手段は、前記レンジを切り替えた場合に、切替直後のゲイン値として前記操作子の位置によるゲイン値を無効として切替直前のゲイン値を有効とし、前記操作子が操作されて切替直前のゲイン値に対応する位置まで操作された時点で前記操作子の操作によるゲイン値を有効とする第１の処理と、切替直後のゲイン値として前記操作子の位置によるゲイン値を無効として切替直前のゲイン値を有効とし、前記操作子が操作された時点で前記操作子の操作によるゲイン値を有効とする第２の処理と、切替直後のゲイン値として前記操作子の位置によるゲイン値を有効とする第３の処理のいずれかを選択的に実行する
ことを特徴とするレコーダ。
【請求項６】
請求項１，２のいずれかに記載のレコーダにおいて、
前記制御手段は、現在設定されている調整レンジが前記第２レンジであって前記操作子が最小値近傍まで操作されたことを検出した場合に、ミュート状態へ切り替えるためのメッセージを前記表示手段に表示する
ことを特徴とするレコーダ。
【発明の詳細な説明】
【技術分野】
【０００１】
本発明はレコーダ、特に入力ゲインを調整する技術に関する。
【背景技術】
【０００２】
オーディオ信号のレベルを調整する調整装置が知られている。例えば、下記の特許文献１には、入力オーディオ信号を増幅するアンプゲインを複数段階に切替可能な増幅手段と、出力オーディオ信号の減衰量を複数段階に切替可能な減衰手段を備え、ボリューム操作によってオーディオ信号の減衰量が所定量を超えたときに、ゲインアンプを切り替える構成が開示されている。
【０００３】
なお、入力オーディオ信号のアンプゲイン、つまり入力ゲインを切り替える方法には、大別して２つの方法がある。第１の方法は、図１０に模式的に示すように、全可変範囲を連続で変化させる方法である。図１０において、−９０ｄＢから＋３０ｄＢまで連続して変化し得ることを示す。第２の方法は、図１１に模式的に示すように、複数の可変範囲（レンジ）に分割し、スイッチ等でこれらのレンジを互いに切り替えてレンジ毎に決められた可変範囲を変化させる方法である。図１１において、全可変範囲はＨＩＧＨ、ＭＩＤ、ＬＯＷの３つのレンジに分割され、ＨＩＧＨレンジでは−３０ｄＢから＋３０ｄＢまで変化させ、ＭＩＤレンジでは−６０ｄＢから０ｄＢまで変化させ、ＬＯＷレンジでは−９０ｄＢから−３０ｄＢまで変化させる。通常、各レンジ間の可変範囲はその一部が互いに重複するように設定される。図１１では、ＨＩＧＨレンジとＭＩＤレンジの一部の範囲が重複し、ＭＩＤレンジとＬＯＷレンジの一部の範囲が重複している。
【先行技術文献】
【特許文献】
【０００４】
【特許文献１】特許第３２４７５２６号
【発明の概要】
【発明が解決しようとする課題】
【０００５】
第１の方法は、レンジの切替が不要であるため、全ての可変範囲を自由に設定できる利点があるが、範囲が広すぎるため所望の入力ゲインに設定することが困難であり、また、ボリュームの可変範囲や分解能によっては変化が粗くなり、精密な設定が困難となる問題がある。
【０００６】
第２の方法は、操作中にレンジ切替を行う必要はあるものの、分解能を上げることができるため入力ゲインの精密な設定が比較的容易である利点がある。実際の使用環境下では、精密な設定が可能である方がより望ましいため、第２の方法が採用される場合が多くなっている。
【０００７】
一方、第２の方法でレンジを切り替える場合においても、さらに大別して２つの方法が存在する。すなわち、ハードウェアによる方法とソフトウェアによる方法である。ハードウェアによる方法では、切替スイッチを設けて切り替えるものであり、視認性が高くて操作も単純明快であるが、コストがかかり、特に小型機器の場合には切替スイッチを設置するためのスペースを確保する必要がある。ソフトウェアによる方法では、コスト的には有利であるが、視認性及び操作性の点で改善が必要となる。
【０００８】
本発明の目的は、複数の可変範囲（レンジ）に分割し、各レンジを互いに切り替えて入力ゲインを設定する際に、コスト的にも優れ、かつ、視認性及び操作性にも優れた構成を備えるレコーダを提供することにある。
【課題を解決するための手段】
【０００９】
本発明は、音声信号の入力ゲインを調整して該音声信号を記録するレコーダであって、前記入力ゲインの調整レンジとして少なくとも第１レンジ及び第２レンジを備え、前記第１レンジは第１最大値と第１最小値の間のゲインを設定するレンジで、前記第２レンジは第２最大値と第２最小値の間のゲインを設定するレンジであり、前記第２最大値は前記第１最大値よりも小さくかつ前記第１最小値よりも大きく設定され、前記第２最小値は前記第１最小値よりも小さく設定されることで前記第１レンジと前記第２レンジは一部重複するように設定されており、前記入力ゲインを調整するための、最小値から最大値までの一定範囲内で操作可能な操作子と、現在設定されている調整レンジを記憶する記憶手段と、メッセージを表示する表示手段と、現在設定されている調整レンジが前記第１レンジであって前記操作子が前記第１レンジと前記第２レンジの重複範囲内まで操作されたことを検出した場合に、前記第２レンジへ切り替えるためのメッセージを前記表示手段に表示してレンジを切り替え、かつ、現在設定されている調整レンジが前記第２レンジであって前記操作子が前記第１レンジと前記第２レンジの重複範囲内まで操作されたことを検出した場合に、前記第１レンジへ切り替えるためのメッセージを前記表示手段に表示してレンジを切り替える制御手段を備えることを特徴とする。
【００１０】
ここで、本発明において、前記制御手段は、現在設定されている調整レンジが前記第１レンジであって前記操作子が前記第１レンジと前記第２レンジの重複範囲内まで操作されたことを検出した場合に、前記第２レンジへ切り替えるためのメッセージを前記表示手段に表示してレンジを切り替える際に、自動的にレンジを切り替える態様の他、表示手段に表示されたメッセージに応じたユーザ操作に基づいてレンジを切り替える態様も含まれる。後者の態様では、ユーザ操作がない場合にはレンジ切替は生じない。現在設定されている調整レンジが前記第２レンジであって前記操作子が前記第１レンジと前記第２レンジの重複範囲内まで操作されたことを検出した場合に、前記第１レンジへ切り替えるためのメッセージを前記表示手段に表示してレンジを切り替える場合も同様であり、自動的にレンジを切り替える態様の他、表示手段に表示されたメッセージに応じたユーザ操作に基づいてレンジを切り替える態様も含まれる。
【００１１】
本発明の１つの実施形態では、前記制御手段は、現在設定されている調整レンジが前記第１レンジであって前記操作子が最小値近傍まで操作されたことを検出した場合に、前記第２レンジへ切り替えるためのメッセージを前記表示手段に表示してレンジを切り替え、かつ、現在設定されている調整レンジが前記第２レンジであって前記操作子が最大値近傍まで操作されたことを検出した場合に、前記第１レンジへ切り替えるためのメッセージを前記表示手段に表示してレンジを切り替えることを特徴とする。
【００１２】
本発明の他の実施形態では、前記制御手段は、前記レンジを切り替えた場合に、切替直後のゲイン値として、前記操作子の位置によるゲイン値を無効として切替直前のゲイン値を有効とし、前記操作子が操作されて切替直前のゲイン値に対応する位置まで操作された時点で前記操作子の操作によるゲイン値を有効とすることを特徴とする。
【００１３】
本発明のさらに他の実施形態では、前記制御手段は、前記レンジを切り替えた場合に、切替直後のゲイン値として、前記操作子の位置によるゲイン値を無効として切替直前のゲイン値を有効とし、前記操作子が操作された時点で前記操作子の操作によるゲイン値を有効とすることを特徴とする。
【００１４】
本発明のさらに他の実施形態では、前記制御手段は、前記レンジを切り替えた場合に、切替直後のゲイン値として前記操作子の位置によるゲイン値を無効として切替直前のゲイン値を有効とし、前記操作子が操作されて切替直前のゲイン値に対応する位置まで操作された時点で前記操作子の操作によるゲイン値を有効とする第１の処理と、切替直後のゲイン値として前記操作子の位置によるゲイン値を無効として切替直前のゲイン値を有効とし、前記操作子が操作された時点で前記操作子の操作によるゲイン値を有効とする第２の処理と、切替直後のゲイン値として前記操作子の位置によるゲイン値を有効とする第３の処理のいずれかを選択的に実行することを特徴とする。
【００１５】
本発明のさらに他の実施形態では、前記制御手段は、現在設定されている調整レンジが前記第２レンジであって前記操作子が最小値近傍まで操作されたことを検出した場合に、ミュート状態へ切り替えるためのメッセージを前記表示手段に表示することを特徴とする。
【発明の効果】
【００１６】
本発明によれば、複数のレンジに分割し、各レンジを互いに切り替えて入力ゲインを設定する際に、コスト的にも優れ、かつ、視認性及び操作性にも優れたレコーダを得ることができる。特に、レンジ切替が必要と推定される状況において表示手段に自動的にレンジを切り替えるためのメッセージが表示されてレンジの切替を行うことができるので、ユーザの利便性は高い。
【図面の簡単な説明】
【００１７】
【図１】実施形態の構成ブロック図である。
【図２】入力ゲイン調整用ボリュームの構成図である。
【図３】表示部に表示されるポップアップ画面の説明図である。
【図４】ポップアップ画面の説明図である。
【図５】入力ゲイン調整用ボリュームの位置説明図である。
【図６】キャッチの説明図である。
【図７】表示部に表示されるポップアップ画面の説明図である。
【図８】表示部に表示されるポップアップ画面の説明図である。
【図９】表示部に表示されるポップアップ画面の説明図である。
【図１０】第１の方法によるゲイン調整の説明図である。
【図１１】第２の方法によるゲイン調整の説明図である。
【発明を実施するための形態】
【００１８】
以下、図面に基づき本発明の実施形態について、レコーダとしてマルチトラックレコーダを例にとり説明する。但し、本発明はこれに限定されるものではなく、音声信号を記録するレコーダであれば任意の形態に適用し得る。
【００１９】
図１に、本実施形態におけるマルチトラックレコーダ１の構成ブロック図を示す。音声信号入力回路１０は、複数の入力ポートを備え、複数の音源（ソース）からの音声信号を入力する。複数の音声信号を例示すると、ギター、ボーカル、ドラム等である。音声信号入力回路１０は、内蔵マイク及び／又は入力ポートを備え、音声信号を入力する。内蔵マイクと入力ポートの双方を備える場合、内蔵マイクと入力ポートは相互に切替可能である。音声信号入力回路１０から入力された音声信号は、バス１６を介してＤＳＰ（デジタルシグナルプロセッサ）１４に供給される。
【００２０】
ＤＳＰ１４は、ＣＰＵ３２の制御の下で、音声信号入力回路１０から供給された複数チャンネルの音声信号に対して、所定のデジタル処理、具体的には、ミックスダウン処理やマスタリング処理等を施し、バス１８を介してレコーダ３４に記録する。レコーダ３４の記録媒体は、ＣＤ−Ｒ／ＲＷ、ＤＶＤ−Ｒ／ＲＷ等の光ディスクやハードディスク、フラッシュメモリ媒体等である。ＤＳＰ１４の処理には、操作子２０の操作に応じて各音声信号のパン（ＰＡＮ）や音量レベルを調整する処理も含まれる。
【００２１】
操作子２０は、マルチトラックレコーダ１の操作面に設けられる。操作子２０は、各種のキースイッチや選択ボタン、メニューボタン、決定ボタン、パン（ＰＡＮ）つまみ、レベルつまみ等から構成され、音声信号入力回路から供給される音声信号の入力ゲインを増減調整するためのゲイン調整ボリュームも含まれる。ユーザは、操作子２０を操作することで、各音声信号の入力ゲイン（入力レベル）を所望の値に調整して、複数トラックの少なくとも１つのトラックに割り当てる。操作子２０の操作状態は検出回路２２で検出される。検出回路２２は、バス１８を介して操作子２０の操作状態検出信号をＣＰＵ３２に供給する。
【００２２】
ＣＰＵ３２は、マルチトラックレコーダの全体を統括制御する。ＣＰＵ３２は、フラッシュＲＯＭ２８に記憶されたプログラムに従い、ワーキングメモリとしてのＲＡＭ３０を用いて各種処理を実行する。また、ＣＰＵ３２は、各種の情報を表示回路２６に供給する。表示回路２６は、各種情報を表示部２４に表示する。ＣＰＵ３２は、ユーザによる操作子２０の操作に応じて各種メニュー画面や設定画面を表示すべく表示回路２６に指令し、表示回路２６は、ＣＰＵ３２からの情報に応じてメニュー画面や設定画面を表示部２４に表示する。また、ＣＰＵ３２は、各トラック毎に割り当てられた音声信号のレベルを、例えば棒グラフ形式（レベルメータ）で表示すべく表示回路２６に指令し、表示回路２６は、ＣＰＵ３２からの情報に応じてレベルメータ画像を表示部２４に表示する。さらに、ＣＰＵ３２は、検出回路２２からの操作状態検出信号に応じ、レコーダ３４に記録された音声信号を読み出してＤＳＰ１４に供給し、ＤＳＰ１４はバス及び音声信号出力回路１２を介して音声信号を外部に出力する。音声出力回路１２は、アナログ出力ポートやデジタル出力ポート等の各種出力ポートを有する。
【００２３】
図２に、録音すべき音声信号の入力ゲインを調整するための調整機構を示す。操作子２０としてのゲイン調整ボリューム２１は、ユーザによる手動操作が可能に構成され、図では最小レベル（ＭＩＮ）から最大レベル（ＭＡＸ）まで回動自在に構成される。ゲイン調整ボリューム２１の操作信号はＡ／Ｄ変換器２３に供給され、デジタル信号に変換されて電子ボリューム３３のゲイン調整に用いられる。ゲイン調整ボリューム２１をＭＡＸ方向（図では時計回り）に回転させるとゲインが増大し、入力音声信号のレベルが増大調整される。逆に、ゲイン調整ボリューム２１をＭＩＮ方向（図では反時計方向）に回転させるとゲインが減少し、入力音声信号のレベルが減少調整される。電子ボリューム３３はＤＳＰ１４の一部として構成され得るが、ＤＳＰ１４とは別個に構成してもよい。
【００２４】
本実施形態では、上記の第２の方法、すなわち、複数の可変範囲（レンジ）に分割し、スイッチ等でこれらのレンジを互いに切り替えてレンジ毎に決められた可変範囲を変化させる方法により所望の入力ゲインに設定するが、この際に、ハードウェアで全てを構成するのではなく、ハードウェアとソフトウェアの両者を巧みに組み合わせて第２の方法を実現する。
【００２５】
具体的には、ゲイン調整ボリューム２１によりある範囲内でゲインを調整するが、各レンジの切替は、別の切替スイッチを設けて行うのではなくソフトウェアで実現し、ＣＰＵ３２が表示部２４に所定のタイミングでレンジを切り替えるためのポップアップ画面を表示する。ポップアップ画面には、ゲインのレンジを切り替えるために複数のレンジが表示され、例えばＨＩＧＨ、ＭＩＤ、ＬＯＷの３つのレンジが表示され、ユーザがこれらのレンジのうちのいずれかを択一的に選択できるように表示される。ＨＩＧＨ、ＭＩＤ、ＬＯＷの各レンジは、図１１に示すようにそれぞれ互いのゲイン調整範囲が一部重複するように設定される。具体的には、ＨＩＧＨレンジの最大値は＋３０ｄＢ、最小値は−３０ｄＢであり、ＭＩＤレンジの最大値は０ｄＢであって、ＭＩＤレンジの最大値はＨＩＧＨレンジの最大値と最小値の間にあり、０ｄＢ〜−３０ｄＢはＨＩＧＨレンジとＭＩＤレンジで重複範囲が存在する。同様に、ＬＯＷレンジの最大値はＭＩＤレンジの最大値と最小値の間にあり、ＭＩＤレンジとＬＯＷレンジで重複範囲が存在する。また、ポップアップ画面は、表示部２４に常に表示されるのではなく、レンジの切替が必要となるタイミングにおいて表示される。
【００２６】
レンジの切替が必要となるタイミングとは、以下のようなタイミングである。ユーザがゲイン調整ボリューム２１を時計方向に回動させて最大値（ＭＡＸ）近傍まで回動させた場合、ユーザはその時点を所望のゲイン設定値であると認識する場合の他、さらに大きなゲイン設定値を望むとも考えられる。そこで、ゲイン調整ボリュームの操作位置が最大値（ＭＡＸ）近傍まで操作された場合に、ＣＰＵ３２は、これに応じてレンジの切替が必要となると推定し、ポップアップ画面を表示する。また、ユーザがゲイン調整ボリューム２１を反時計方向に回動させて最小値（ＭＩＮ）近傍まで回動させた場合、ユーザはその時点を所望のゲイン設定値であると認識する場合の他、さらに小さなゲイン設定値を望むとも考えられる。そこで、ゲイン調整ボリュームの操作位置が最小値（ＭＩＮ）近傍まで操作された場合に、ＣＰＵ３２は、これに応じてレンジの切替が必要となると推定し、ポップアップ画面を表示する。
【００２７】
図３に、ゲイン調整用ボリューム２１が最大値（ＭＡＸ）近傍まで回動された場合に、表示部２４にゲイン切替用のポップアップ画面１００が表示される様子を示す。ポップアップ画面１００は、選択すべきゲイン（ＧＡＩＮ）のレンジとしてＨＩＧＨ、ＭＩＤ、ＬＯＷを表示する。また、ＣＰＵ３２は、現在設定されているレンジを検出し、現在のレンジをハイライト表示する。図では、現在設定されているレンジがＬＯＷである場合に、ポップアップ画面１００のＬＯＷがハイライト表示される場合を示す。なお、現在設定されているレンジの情報は、ＲＡＭ３０に記憶しておき、ＣＰＵ３２がＲＡＭ３０にアクセスして現在設定されているレンジの状態を取得してハイライト表示する。ユーザは、ポップアップ画面１００を視認することで、レンジの切替が可能であることを認識でき、必要であればレンジの切替を行う。この場合、現在設定されているレンジはＬＯＷであり、ゲイン調整ボリューム２１は最大値（ＭＡＸ）近傍まで回動されているので、ユーザはＭＩＤレンジを選択することになろう。勿論、ＭＩＤレンジを飛び越えて、ＨＩＧＨレンジを選択することを許容してもよい。表示部２４をタッチパネルで構成した場合、ユーザは所望のレンジにタッチすることでレンジを切り替えることができる。表示部２４をタッチパネルで構成しない場合、操作子２０を操作してハイライト表示をＬＯＷから他のレンジ、例えばＭＩＤレンジに遷移させ、確定ボタンを押す等の操作によりレンジを切り替えることができる。ユーザがレンジを選択して確定すると、ＣＰＵ３２はポップアップ画面１００の表示を消す。
【００２８】
なお、現在設定されているレンジがＬＯＷであり、ユーザがゲイン調整ボリューム２１を最小値（ＭＩＮ）近傍まで回動させた場合には、レンジを切り替えることができないのでポップアップ画面１００を表示しなくてもよい。同様に、現在設定されているレンジがＨＩＧＨであり、ユーザがゲイン調整ボリューム２１を最大値（ＭＡＸ）近傍まで回動させた場合には、レンジを切り替えることができないのでポップアップ画面１００を表示しなくてもよい。要するに、ＣＰＵ３２は、ＲＡＭ３０に記憶されている現在設定されているレンジと、最大値（ＭＡＸ）、最小値（ＭＩＮ）との関係において、ポップアップ画面１００を表示するか否かを判定してもよい。
【００２９】
また、図３の例では、ゲイン調整ボリューム２１が最大値（ＭＡＸ）あるいは最小値（ＭＩＮ）近傍まで回動操作された場合に表示部２４にポップアップ画面１００を表示しているが、必ずしも最大値（ＭＡＸ）に達したときあるいはその直前、又は、最小値（ＭＩＮ）に達したときあるいはその直前でポップアップ画面１００を表示するのではなく、ゲイン調整用ボリューム２１の位置が各レンジの重複範囲内に位置する場合にポップアップ画面１００を表示してもよい。
【００３０】
図４に、この場合のポップアップ画面１００の表示例を示す。図において、ＭＩＤレンジとＬＯＷレンジが模式的に示されており、その重複範囲１２０が示されている。ゲイン調整用ボリューム２１の回動位置がこの重複範囲１２０内に位置している場合に、ＣＰＵ３２はこれを検出して表示部２４にポップアップ画面１００を表示する。具体的には、現在設定されているレンジがＭＩＤレンジであり、ユーザがゲイン調整用ボリューム２１を反時計方向に回動操作して重複範囲１２０内に入ったときに、ＣＰＵ３２はポップアップ画面１００を表示するとともに、ＭＩＤレンジをハイライト表示する。また、現在設定されているレンジがＬＯＷレンジであり、ユーザがゲイン調整用ボリューム２１を時計方向に回動操作して重複範囲１２０内に入ったときに、ＣＰＵ３２はポップアップ画面１００を表示するとともに、ＬＯＷレンジをハイライト表示する。図ではＭＩＤレンジとＬＯＷレンジについて示しているが、ＨＩＧＨレンジとＭＩＤレンジについても同様であり、ＨＩＧＨレンジとＭＩＤレンジの重複範囲においてポップアップ画面１００を表示する。
【００３１】
本実施形態において、ゲイン調整用ボリューム２１を最大値（ＭＡＸ）、最小値（ＭＩＮ）の近傍、あるいはレンジの重複範囲においてレンジ切替を促すポップアップ画面１００を表示しているが、これは、ゲイン調整用ボリューム２１を回動操作する際に、ボリューム位置が最大値（ＭＡＸ）あるいは最小値（ＭＩＮ）に到達しそうな場合、レンジを切り替えてできるだけ上下にゲイン調整の余裕を持たせておきたいと欲し、定常的にボリューム位置が最大値（ＭＡＸ）あるいは最小値（ＭＩＮ）を示すことはあまりないとの実際の操作感覚にも合致するといえる。なお、図３及び図９に示すように、ポップアップ画面１００の表示可能範囲Ｒをゲイン調整用ボリューム２１に沿って表示することにより、ユーザにレンジ切替が可能なゲイン調整用ボリュームの回動位置を常に認識させるようにしてもよい。これにより、レンジ切替を目的としたゲイン調整用ボリュームの操作性を向上することができる。表示可能範囲Ｒの表示方法は、シルク印刷等の印刷表示やＬＥＤ等の電気的表示が考えられる。
【００３２】
ところで、ポップアップ画面１００を用いてレンジを切り替えた場合、ゲイン調整用ボリューム２１の回動位置はそのままである。例えば、ゲイン調整用ボリューム２１の回動位置が最大値（ＭＡＸ）近傍においてポップアップ画面１００を表示し、ユーザがレンジをＬＯＷレンジからＭＩＤレンジに切り替えた場合でも、ゲイン調整用ボリューム２１の回動位置は最大値（ＭＡＸ）近傍のまま維持される。この場合、ＬＯＷレンジにおいてはそのときのボリューム位置がゲイン値で例えば−３０ｄＢに相当するものとし、ＭＩＤレンジにおいてはそのときのボリューム位置がゲイン値で例えば０ｄＢに相当するものとなり、両者の間に乖離が生じる。この場合、ＬＯＷレンジからＭＩＤレンジに切り替えた直後に入力音声信号のレベルが急激に増大することになり好ましくない。
【００３３】
そこで、レンジが切り替わった直後は、ＣＰＵ３２は、実際のゲイン調整用ボリューム２１の回動位置に追従してゲイン値を調整するのではなくこれを無視してレンジ切替直前のゲイン値をそのまま保持し（以下、これを内部ゲイン値と称する）、ユーザが切替後のレンジにおいてゲイン調整用ボリューム２１を回動操作して内部ゲイン値に相当する位置まで回動操作した時点でゲイン調整用ボリューム２１の回動位置を有効としこれに追従するようにする。ゲイン調整用ボリューム２１の回動位置が内部ゲイン値に一致するまでゲイン調整用ボリューム２１に追従せず、一致した時点以降においてゲイン調整用ボリューム２１に追従する処理をキャッチ（ＣＡＴＣＨ）処理と称する。
【００３４】
図５及び図６に、キャッチ処理を模式的に示す。図５は、ゲイン調整用ボリューム２１の回動位置が最大値（ＭＡＸ）近傍でレンジをＬＯＷレンジからＭＩＤレンジに切り替えた場合である。ＬＯＷレンジからＭＩＤレンジに切り替えた直後において、内部ゲイン値は切り替える直前のゲイン値であり、これを符号ａで示す。一方、ゲイン調整用ボリューム２１の回動位置は最大値（ＭＡＸ）近傍のままである。この位置を符号ｂで示す。仮に、ＣＰＵ３２がレンジ切替直後からゲイン調整用ボリューム２１の位置ｂを有効とし、これに追従してゲイン値を調整するものとすると、符号ａで示すＬＯＷレンジの最大値から、符号ｂで示すＭＩＤレンジの最大値に急峻にゲイン値が変化することになってしまう。従って、ＣＰＵ３２は、レンジ切替直後において、ゲイン調整用ボリューム２１の実際の回動位置ｂを無効とし、ゲイン値として切替直前の位置ａに対応するゲイン値を内部ゲイン値として保持しておく。
【００３５】
この状態でユーザが図６に示すようにゲイン調整用ボリューム２１を反時計方向に回動し、ゲイン調整用ボリューム２１の位置を符号ｂから符号ａまで回動させたときに、ＣＰＵ３２はこの回動を検出して内部ゲイン値とゲイン調整用ボリューム２１の示すゲイン値が一致したものと判定し、ゲイン調整用ボリューム２１を有効とし、ゲイン調整用ボリューム２１に追従してゲイン値を調整する。以上のようなキャッチ処理を実行することで、レンジ切替直後における急峻なゲイン値の増大を防止できる。
【００３６】
なお、上記ではＬＯＷレンジからＭＩＤレンジに切り替える場合を例にとり説明したが、ＭＩＤレンジからＨＩＧＨレンジに切り替える場合も同様である。また、逆に、ＨＩＧＨレンジからＭＩＤレンジ、あるいはＭＩＤレンジからＬＯＷレンジに切り替える場合も同様であり、キャッチ処理を実行することでレンジ切替直後における急峻なゲイン値の減少を防止できる。
【００３７】
また、キャッチ処理を実行する場合、ゲイン調整用ボリューム２１の回動位置が内部ゲイン値に一致するまではゲイン調整用ボリューム２１に追従せず、ゲイン値は内部ゲイン値のまま維持されるため、ユーザが違和感を覚えることも考えられる。そこで、キャッチ処理を実行中であること、あるいはゲイン調整用ボリューム２１の回動位置が内部ゲイン値に一致したタイミングでその旨をユーザに報知することも好適である。
【００３８】
図７に、キャッチ処理をユーザに報知する場合の一例を示す。ユーザがゲイン調整用ボリューム２１を回動操作してその位置が内部ゲイン値に対応する位置に一致した場合、ＣＰＵ３２はこれを検出して表示部２４に「ＣＡＴＣＨ」と表示する。ユーザは、この表示を視認することで、ゲイン調整用ボリューム２１の位置が内部ゲイン値と一致し、これ以後はゲイン調整用ボリューム２１が有効化され、ゲイン値が調整されることを認識できる。ゲイン調整用ボリューム２１の回動位置が内部ゲイン値に対応する位置に一致していない間に「ＣＡＴＣＨ中」等のメッセージを表示部２４に表示してもよい。
【００３９】
レンジ切替直後のゲイン値の急峻な増減を防止するためにキャッチ処理は有効であるが、ユーザによっては必ずしもキャッチ処理が実行されることを望まない場合も想定される。このような場合、キャッチ処理を実行するか否かをユーザが選択できるような構成とすることが好適である。
【００４０】
図８に、この場合の表示部２４の表示例を示す。ゲイン調整用ボリューム２１が最大値（ＭＡＸ）、最小値（ＭＩＮ）近傍に達したときにポップアップ画面１００を表示するとともに、レンジ切替直後の処理として、リアル（ＲＥＡＬ）、キャッチ（ＣＡＴＣＨ）、ジャンプ（ＪＵＭＰ）のいずれかを選択するためのポップアップ画面２００も併せて表示する。ここで、リアル（ＲＥＡＬ）処理とは、レンジ切替直後からゲイン調整用ボリューム２１の位置を有効としてこれに追従する処理であり、ジャンプ（ＪＵＭＰ）処理とは、レンジ切替直後はゲイン調整用ボリューム２１の位置を無効とするが、ユーザがゲイン調整用ボリューム２１を回動操作したときに直ちに有効としてこれに追従する処理である。ユーザは、ポップアップ画面１００を用いて所望のレンジに切り替えるとともに、ポップアップ画面２００を用いてレンジ切替後の処理を選択することができる。キャッチ（ＣＡＴＣＨ）処理をデフォルトとし、それ以外の処理をユーザが選択可能としてもよい。
【００４１】
本実施形態では、ゲイン調整用ボリューム２１の回動位置が最大値（ＭＡＸ）、最小値（ＭＩＮ）近傍のときにポップアップ画面１００を表示してレンジ切替を促す構成であるが、現在設定されているレンジがＬＯＷレンジであってユーザがゲイン調整用ボリューム２１を最小値（ＭＩＮ）近傍まで回動操作した場合、ユーザは最小のゲイン値で音声信号を録音することを望んでいる他に、無音状態を望んでいる場合も想定される。しかしながら、ゲイン調整用ボリューム２１ではゲイン値を最小にすることはできても無音状態、いわゆるミュート状態にすることはできず、ゲイン調整用ボリューム２１の他にミュート設定用のスイッチが必要となる。
【００４２】
そこで、現在設定されているレンジがＬＯＷレンジであってユーザがゲイン調整用ボリューム２１を最小値（ＭＩＮ）近傍まで回動操作した場合に、ＣＰＵ３２は、ポップアップ画面を表示するとともに、そのポップアップ画面の選択メニューにミュート（ＭＵＴＥ）を追加して表示してもよい。
【００４３】
図９に、この場合の表示例を示す。現在設定されているレンジがＬＯＷレンジであり、ゲイン調整用ボリューム２１を最小値（ＭＩＮ）近傍まで回動操作すると、ＣＰＵ３２は、表示部２４にポップアップ画面３００を表示する。ポップアップ画面３００には、ＨＩＧＨ、ＭＩＤ、ＬＯＷの各レンジに加え、ミュート（ＭＵＴＥ）のメニューが表示される。ユーザがこのミュートを選択すると、ＣＰＵ３２はゲイン値を０、すなわち入力音声信号をカットして無音状態とする。なお、ポップアップ画面３００が表示される際には現在設定されているレンジであるＬＯＷレンジがハイライト表示されており、ミュートではなく最小のゲイン値を望むユーザはミュートを選択することなく確定することで最小のゲイン値に調整できる。
【００４４】
以上、本発明の実施形態について説明したが、本発明はこれに限定されるものではなく、種々の変形が可能である。
【００４５】
例えば、本実施形態では、レンジの切替直後の処理として、キャッチ処理を例示し、あるいはキャッチ処理とリアル処理とジャンプ処理の択一的な選択を例示しているが、リアル処理のみ、ジャンプ処理のみ、キャッチ処理とジャンプ処理の択一的な選択、リアル処理とジャンプ処理の択一的な選択、のいずれかを用いてもよい。
【００４６】
また、キャッチ処理あるいはジャンプ処理の場合において、内部ゲイン値とゲイン調整用ボリューム２１が示すゲイン値との乖離状態をより明確に表示部２４に表示し、どのようにゲイン調整用ボリューム２１を回動操作すれば内部ゲイン値に一致するかを明示するようにしてもよい。
【００４７】
また、本実施形態では、ＬＯＷレンジにおいてユーザがゲイン調整用ボリューム２１を最小値（ＭＩＮ）近傍まで回動操作した場合にポップアップ画面にミュートメニューを表示しているが、ミュート状態を解除する方法としてはいくつかの方法があり得る。第１は、ミュート状態に設定されているときには表示部２４にポップアップ画面３００を表示しておき、ユーザがこのポップアップ画面から所望のレンジを選択することでミュート状態を解除する方法である。第２は、ミュート状態に設定されているときにもポップアップ画面３００は表示せず、ユーザがゲイン調整用ボリューム２１を回動操作したときにＣＰＵ３２がこの操作を検出してミュート状態を解除し、ミュート状態に移行したときのレンジ（通常はＬＯＷレンジ）に復帰させる方法である。ミュート状態に移行したときのレンジは、ＣＰＵ３２がＲＡＭ３０に保持しておく。いずれの方法を用いてもよく、ユーザがいずれかの方法を選択可能としてもよい。
【００４８】
また、本実施形態では、ゲインを調整する操作子２０としてゲイン調整用ボリューム２１を例示したが、本発明は回動操作可能なボリュームに限定されるものではなく、一定範囲内でスライド操作可能なバーでもよい。また、必ずしも物理的な操作子を意味するものではなく、タッチパネルに表示された操作子であってもよい。
【００４９】
また、本実施形態では、図３等に示すような、複数の選択可能なレンジを表示したポップアップ画面１００等を表示してユーザにレンジの切替を促しているが、現在設定されているレンジがＬＯＷレンジの場合においてゲイン調整用ボリューム２１が最大値（ＭＡＸ）近傍まで回動操作されたときは「ＭＩＤレンジに切り替えますが？」とメッセージを表示するとともに「ＹＥＳ」、「ＮＯ」を表示し、ユーザが「ＹＥＳ」を選択したときにＭＩＤレンジに切り替えてもよい。同様に、現在設定されているレンジがＭＩＤレンジの場合においてゲイン調整用ボリューム２１が最大値（ＭＡＸ）近傍まで回動操作されたときは「ＨＩＧＨレンジに切り替えますが？」とメッセージを表示するとともに「ＹＥＳ」、「ＮＯ」を表示し、ユーザが「ＹＥＳ」を選択したときにＨＩＧＨレンジに切り替えてもよい。同様に、現在設定されているレンジがＭＩＤレンジの場合においてゲイン調整用ボリューム２１が最小値（ＭＩＮ）近傍まで回動操作されたときは「ＬＯＷレンジに切り替えますが？」とメッセージを表示するとともに「ＹＥＳ」、「ＮＯ」を表示し、ユーザが「ＹＥＳ」を選択したときにＬＯＷレンジに切り替えてもよい。さらに、現在設定されているレンジがＬＯＷレンジの場合においてゲイン調整用ボリューム２１が最小値（ＭＩＮ）近傍まで回動操作されたときは「ミュートに切り替えますが？」と表示するとともに「ＹＥＳ」、「ＮＯ」を表示し、ユーザが「ＹＥＳ」を選択したときにミュート状態に切り替えてもよい。要するに、レンジを切り替えるための画面はポップアップ画面ではなくメッセージでもよく、ポップアップ画面もメッセージの一種であるととらえると、ゲイン調整用ボリューム２１の回動操作に連動し、操作位置が所定位置に達したときにレンジを切り替えるためのメッセージを表示部２４に表示するといえる。本実施形態では、レンジ切替を行うためのスイッチはソフトウェアで実現されるが、その全てをソフトウェアで実現する必要は必ずしもない。例えば、図３の場合では、ポップアップ画面１００を表示部２４に表示するが、ポップアップ画面１００の各レンジを選択するために既存のメニュー選択スイッチを用いることができ、この場合にはレンジを切り替えるための手段はハードウェアとソフトウェアで実現されているといえる。勿論、このことは、表示部２４をタッチパネルで構成することで、レンジ切替を行うためのスイッチを全てソフトウェアで実現する構成を排除するものではない。
【符号の説明】
【００５０】
１０  音声信号入力回路、１２  音声信号出力回路、１４  ＤＳＰ、２０  操作子、２２  検出回路、２４  表示部、３０  ＲＡＭ、３２  ＣＰＵ、３４  レコーダ。
【図１】
2014130656.tif 000003
【図２】
2014130656.tif 000004
【図３】
2014130656.tif 000005
【図４】
2014130656.tif 000006
【図５】
2014130656.tif 000007
【図６】
2014130656.tif 000008
【図７】
2014130656.tif 000009
【図８】
2014130656.tif 000010
【図９】
2014130656.tif 000011
【図１０】
2014130656.tif 000012
【図１１】
2014130656.tif 000013